(57)【特許請求の範囲】
【請求項１】
投入口に投入された缶を案内する案内部と、
この案内部の下端と所定間隔を置いて配設され、前記案内部からの缶を受け止める缶受け部と、
缶を短冊状に切断するカッタと、
このカッタを駆動するカッタ駆動機構と、
前記案内部と前記缶受け部との間に、前記缶受け部で受け止めた缶が入る筒が配設された缶送り機構と、
この缶送り機構を駆動する缶送り駆動機構とを備え、
前記缶送り機構は、前記缶送り駆動機構によって前記筒が揺動させられることにより、前記缶受け部上の缶を前記カッタへ押し込む、
ことを特徴とする缶切断装置。
【請求項２】
請求項１に記載の缶切断装置において、
前記缶受け部は、缶の総重量が所定値以上あると、その缶を排出口へ排出するように構成されている、
ことを特徴とする缶切断装置。
【発明の詳細な説明】
【０００１】
【発明の属する技術分野】
この発明は、ジュース、清涼飲料水などの空き缶を短冊状に切断する缶切断装置に関するものである。
【０００２】
【従来の技術】
通常、ジュース、清涼飲料水などの空き缶は、輸送の効率化を図るため、容積を減少させている。
このように空き缶の容積を減少させるため、従来は回転するローラの間へ空き缶を入れて扁平に押し潰している。
そして、扁平に押し潰した空き缶を所定の容器内に積層して収容し、運搬する。
【０００３】
【発明が解決しようとする課題】
しかしながら、扁平に押し潰した空き缶を容器内に積層して収容する場合、空き缶の間に隙間が多く発生し、効率よく空き缶を容器内に積層することができず、輸送の効率化を向上させることができなかった。
【０００４】
この発明は、上記したような不都合を解消するためになされたもので、空き缶の輸送の効率をさらに向上させることのできる缶切断装置を提供するものである。
【０００５】
【課題を解決するための手段】
この発明にかかる缶切断装置は、投入口に投入された缶を案内する案内部と、この案内部の下端と所定間隔を置いて配設され、案内部からの缶を受け止める缶受け部と、缶を短冊状に切断するカッタと、このカッタを駆動するカッタ駆動機構と、案内部と缶受け部との間に、缶受け部で受け止めた缶が入る筒配設された缶送り機構と、この缶送り機構を駆動する缶送り駆動機構とを備え、缶送り機構が、缶送り駆動機構によって筒が揺動させられることにより、缶受け部上の缶をカッタへ押し込むものである。
そして、缶受け部を、缶の総重量が所定値以上あると、その缶を排出口へ排出するように構成するのが望ましい。
【０００６】
【発明の実施の形態】
以下、この発明の実施形態を図に基づいて説明する。
図１はこの発明の一実施形態である缶切断装置の蓋体を開放した状態の右側面図、図２は図１に示した缶切断装置の蓋体を閉成した状態の右側面図、図３は図２のＡ−Ａ線による拡大平面図、図４は図２のＢ−Ｂ線による拡大部分図、図５は図１に示した缶切断装置の左側面図、図６〜図８は動作説明図である。
なお、図３は、一部分が省略されている。
また、図６は缶送り機構を、図１と同様に、右側面から見た図である。
【０００７】
これらの図において、１は枠体、２は枠体１に取り付けられ案内部を示し、この案内部２は、上端側が缶Ｃの投入口３ａとされ、缶Ｃを斜めに下降するように案内する傾斜案内筒３と、この傾斜案内筒３の下端に連設され、缶Ｃを垂直に案内する垂直案内部４とで構成されている。
５は枠体１または傾斜案内筒３に取り付けられた蓋体を示し、図示を省略した、例えばプッシュ−プッシュ式のラッチ機構からなるロック機構で傾斜案内筒３の投入口３ａを閉成した状態に保持されるものである。
６は傾斜案内筒３に取り付けられたリミットスイッチを示し、蓋体５が傾斜案内筒３の投入口３ａを閉成した状態でオン状態になるものである。
【０００８】
７は傾斜案内筒３に取り付けられたソレノイドを示し、プランジャ７ａに伝達杆８を介して連結された係止レバー９を、傾斜案内筒３内に缶Ｃを位置させる係止位置と、傾斜案内筒３内から缶Ｃを落下させる非係止位置との間で回動させるものである。
なお、ソレノイド７は、空き缶Ｃの重量が２５ｇ位なので、缶Ｃの総重量が、例えば５０ｇ以上に相当する重量であれば、缶Ｃの重量によって係止レバー９が非係止位置へ回動させられ、缶Ｃを落下させる。
【０００９】
１１は枠体１に対向させて取り付けられたブラケット、１２はブラケット１１の間に配設された缶受け部を示し、この缶受け部１２は、ブラケット１１に水平に差し渡された回動可能な支軸１３と、この支軸１３に固定された受け板１４と、支軸１３に後端側（図１おける右側）が固定された回動アーム１５と、この回動アーム１５および支軸１３を介して受け板１４を水平に支持する、ブラケット１１に取り付けられたソレノイド１６とで構成されている。
そして、ソレノイド１６は、プランジャ１６ａの下端が回動アーム１５の前端側（図１における左側）に回動可能に取り付けられ、缶Ｃの総重量が５０ｇ以上であれば、缶Ｃの重量によって受け板１４を図１における時計方向へ回動させ、缶Ｃを排出口へ落下させる。
【００１０】
２１は缶受け部１２の後ろ側に配設されたロータリカッタを示し、小径刃２２ａと大径刃２２ｂとが交互に複数配設された回動軸２２ｃの両端が両側のブラケット１１に回動可能に支持された上刃２２と、大径刃２３ａの間に小径刃２２ａが入るとともに、小径刃２３ｂの間に大径刃２２ｂが入るように、大径刃２３ａと小径刃２３ｂとが小径刃２２ａと大径刃２２ｂとに対応させて交互に複数配設された回動軸２３ｃの両端が両側のブラケット１１に回動可能に支持された下刃２３とで構成され、大径刃２２ｂ，２３ａは引き込みようの爪を備えている。
２４は小径刃２２ａに対応させてブラケット１１間に配設された上スクレーパ、２５は小径刃２３ｂに対応させてブラケット１１間に配設された下スクレーパを示す。
【００１１】
３１は案内部２と缶受け部１２との間に配設された缶送り機構を示し、下側の後ろ側が前側へ下降するように切り欠かれ、案内部２からの缶Ｃが受け板１４に支えられて内側に入る筒３２と、この筒３２の左右に配設され、両側のブラケット１１に回動可能に支持された回動軸３３とで構成されている。
３４はブラケット１１と筒３２との間に張架されたコイルスプリングを示し、筒３２を直立した垂直状態になるように、図１における時計方向へ付勢するものである。
３５はブラケット１１に取り付けられたストッパを示し、コイルスプリング３４で付勢された筒３２が、図１の垂直状態からさらに時計方向へ回動しないように、筒３２の前端上部に係合するものである。
【００１２】
４１は駆動機構を示し、枠体１に取り付けられたギアモータ４２と、このギアモータ４２の回転軸４２ａに取り付けられたスプロケット４３と、右側のブラケット１１から突出した回動軸２２ｃに取り付けられたスプロケット４４と、両スプロケット４３，４４に張架されたチェーン４５と、左側のブラケット１１から突出した回動軸２２ｃに取り付けられたギヤ４６と、左側のブラケット１１から突出した回動軸２３ｃに取り付けられ、ギヤ４６と噛合するギヤ４７と、左側のブラケット１１から突出した回動軸２２ｃの端面に一端側が取り付られた駆動アーム４８と、この駆動アーム４８の他端（回動端）側に回動可能に支持されたローラ４９と、左側のブラケット１１から突出した回動軸３３の端面に一端側が取り付られ、他端側の下側に当接するローラ４９で揺動させられる従動アーム５０とで構成されている。
【００１３】
なお、リミットスイッチ６がオン状態になると、図示を省略した制御部は、係止状態の係止レバー９を、例えば１秒間、図２に示す非係止状態にした後に再度係止状態にするようにソレノイド７を駆動し、ロータリカッタ２１を、例えば２回転させる。
また、ソレノイド１６は、缶Ｃを受け止めることができるように、受け板１４を水平に付勢している。
【００１４】
次に、動作について説明する。
なお、缶Ｃは、飲み残しの内容物がなく、約２５ｇの重量さとする。
まず、図１に示すように、蓋体５を開放させ、投入口３ａへ缶Ｃを投入すると、缶Ｃは傾斜案内筒３に沿って下降するが、係止レバー９が係止状態となっているので、図１に二点鎖線で示すように、係止レバー９に係合して停止する。
そして、図２に示すように、蓋体５を閉成させると、蓋体５は図示を省略したロック機構でロックされ、リミットスイッチ６をオン状態にするので、図示を省略した制御部はリミットスイッチ６からのオン信号により、係止状態の係止レバー９を非係止状態にした後に再度係止状態にするようにソレノイド７を駆動するとともに、ギアモータ４２を動作させる。
【００１５】
このようにソレノイド７が駆動されると、図２に示すように、缶Ｃは傾斜案内筒３から垂直案内部４へと案内されて筒３２内へ落下し、受け板１４に受け止められる。
また、ギアモータ４２が動作すると、図２において、スプロケット４４を反時計方向へ２回転させるので、ロータリカッタ２１は缶Ｃを前から後ろ側へ送るように、上刃２２が反時計方向へ回転するとともに、下刃２３が時計方向へ回転する。
【００１６】
そして、上刃２２が反時計方向へ回転すると、図６（ａ）の状態から図６（ｂ），（ｃ）の状態を経て図６（ａ）の状態へ戻るように駆動アーム４８が２回転するので、図６（ａ）の状態から図６（ｂ）の状態へと従動アーム５０が駆動アーム４８で持ち上げられて回動することにより、筒３２が反時計方向へ回動し、図７に示すように、缶Ｃを上刃２２と下刃２３との間へ押し込むことになる。
このように上刃２２と下刃２３との間へ押し込まれた缶Ｃは、上刃２２と下刃２３との間へ引き込まれながら短冊状に切断され、後ろ側の下に配置した収容箱に収容される。
【００１７】
なお、上、下刃２２，２３に挟まれた缶Ｃの切断片は、上、下スクレーパ２４，２５によって掻き落とされ、収容箱に収容される。
そして、上刃２２および下刃２３が２回転し、図２、図５および図６（ａ）に示す状態へ戻って停止する。
【００１８】
次に、中に飲み残しの内容物があって重量が５０ｇよりも重い缶Ｃを投入口３ａへ投入した場合は、前述したように、各ソレノイド７，１６は５０ｇまでしか支えられないので、図８に示すように、缶Ｃは、係止レバー９を非係止状態へ回動させて傾斜案内筒３から垂直案内部４へと案内されて筒３２内へ落下し、受け板１４を時計方向へ回動させて排出口へと落下する。
そして、前側の下に配置した回収箱に回収される。
【００１９】
上述したように、この発明の一実施形態によれば、缶Ｃをロータリカッタ２１で短冊状に切断し、嵩張らないように容積を減少させることができるので、空き缶Ｃの輸送の効率をさらに向上させることができる。
また、駆動機構（缶送り駆動機構）４１によって筒３２が揺動させられることにより、缶受け部１２上の缶Ｃをロータリカッタ２１へ押し込む缶送り機構３１を設け、大径刃２２ｂ，２３ａに爪を設けたので、缶Ｃを確実にロータリカッタ２１の間へ押し込むことができるとともに、押し込まれた缶Ｃを確実に引き込んで切断することができる。
さらに、缶受け部１２は、缶Ｃの総重量が所定値以上あると、その缶Ｃを排出口へ落下させて排出するので、飲み残しの内容物が入っている缶Ｃを切断して飲み残した内容物を飛散させ、回りを汚損したり、操作者の衣服などを汚損する恐れがなくなる。
【００２０】
上記した実施形態では、ロータリカッタ２１をカッタとしたが、短冊状に缶Ｃを切断できるカッタであれば、他の構成のもの、例えば片方の刃が固定されているものであってもよい。
また、カッタ駆動機構と缶送り駆動機構とを１つの駆動機構で構成したが、別々の駆動機構で駆動してもよいこと言うまでもない。
さらに、内容物の入っている缶Ｃを図８のように落下させることを考慮して、ソレノイド７を作動させてから、例えば２秒後にギアモータ４２を動作させ、受け板１４が缶Ｃに押されて反時計方向へ回動したのをリミットスイッチなどで検出するとともに、このリミットスイッチが受け板１４の回動を検出した信号でギアモータ４２を動作せるのを、２秒の間にキャンセルする構成にすると、ギアモータ４２を無駄に回転させなくて済むようになる。
【００２１】
【発明の効果】
以上のように、この発明によれば、缶をカッタで短冊状に切断し、嵩張らないように容積を減少させることができるので、空き缶の輸送の効率をさらに向上させることができる。
また、缶送り駆動機構によって筒が揺動させられることにより、缶受け部上の缶をカッタへ押し込む缶送り機構を設けたので、缶を確実にカッタの間へ押し込んで切断することができる。
さらに、缶受け部は、缶の総重量が所定値以上あると、その缶を排出口へ排出するので、飲み残しの内容物が入っている缶を切断して飲み残した内容物を飛散させ、回りを汚損したり、操作者の衣服などを汚損する恐れがなくなる。
【図面の簡単な説明】
【図１】この発明の一実施形態である缶切断装置の蓋体を開放した状態の右側面図である。
【図２】図１に示した缶切断装置の蓋体を閉成した状態の右側面図である。
【図３】図２のＡ−Ａ線による拡大平面図である。
【図４】図２のＢ−Ｂ線による拡大部分図である。
【図５】図１に示した缶切断装置の左側面図である。
【図６】動作説明図である。
【図７】動作説明図である。
【図８】動作説明図である。
【符号の説明】
１          枠体
２          案内部
３ａ        投入口
５          蓋体
６          リミットスイッチ
７          ソレノイド
８          伝達杆
９          係止レバー
１１        ブラケット
１２        缶受け部
１３        支軸
１４        受け板
１５        回動アーム
１６        ソレノイド
２１        ロータリカッタ
２２        上刃
２３        下刃
３１        缶送り機構
３２        筒
３３        回動軸
３４        コイルスプリング
３５        ストッパ
４１        駆動機構
４２        ギアモータ
４３，４４  スプロケット
４５        チェーン
４６，４７  ギヤ
４８        駆動アーム
４９        ローラ
５０        従動アーム
【図１】
0003587700.tif 000002
【図２】
0003587700.tif 000003
【図３】
0003587700.tif 000004
【図４】
0003587700.tif 000005
【図５】
0003587700.tif 000006
【図６】
0003587700.tif 000007
【図７】
0003587700.tif 000008
【図８】
0003587700.tif 000009